(57)【特許請求の範囲】
【請求項１】
無端状の弾性クローラの内周側に配置され、駆動力が伝達されて回転軸を中心に回転する円状の本体部と、
前記本体部に固定されて前記回転軸の回転軸方向に沿って延び、前記弾性クローラの無端帯状部分の内周面より突出して形成された突起状の噛合部、及び前記無端帯状部分の内周面より窪むように形成された凹部と当接して前記本体部の回転力を前記弾性クローラに伝達すると共に、前記回転軸方向に沿った方向から見て、前記本体部の周方向において最も厚くなる部分が前記本体部の径方向に沿った高さの中央と先端との間に設けられ、前記中央よりも基端側における前記本体部の周方向の厚さが、前記最も厚くなる部分の厚さより薄く、前記径方向において前記中央が前記本体部の外周縁に対して外側に位置し、前記最も厚くなる部分が前記凹部に挿入される当接歯と、
を備えるスプロケット。
【請求項２】
前記当接歯には、前記回転軸方向から見て、前記当接歯の前記中央より基端側に向けて先細りとなるように一対の傾斜面が設けられる請求項１に記載のスプロケット。
【請求項３】
請求項１または請求項２に記載のスプロケットと、
前記スプロケットに備えられた当接歯と当たり、前記スプロケットから回転力が伝達される無端状の弾性クローラと、
を備えた弾性クローラ組込体。
【発明の詳細な説明】
【技術分野】
【０００１】
本発明は、スプロケット、及びこのスプロケットを備えた弾性クローラ組込体に関する。
【背景技術】
【０００２】
特許文献１に記載のスプロケットには、クローラ本体（弾性クローラクローラ）の内周面に形成された駆動突部（噛合部）と噛み合ってスプロケットの回転力をクローラ本体に伝達する係合歯（当接歯）が設けられている。
【０００３】
そして、この係合歯は、スプロケットの回転軸方向から見て、スプロケットの径方向外側が先細りとなる三角形状とされている。
【先行技術文献】
【特許文献】
【０００４】
【特許文献１】特開２００３−２２６２７１号公報
【発明の概要】
【発明が解決しようとする課題】
【０００５】
しかし、例えば、下り坂でクローラ車を制動させる制動時には、当接歯と噛合部との噛合い状態が通常駆動時とは異なる場合がある。従来の構成では、この噛合い状態が変化することで、回転する当接歯が噛合部の間から抜ける抜け側では、当接歯の基端側（スプロケットの径方向の内側）の角部と弾性クローラの噛合部とが局部的に強く当たり高い応力が生じる。このため、高い応力に対応する材料を選択する必要があり設計自由度が低下する原因となっている。
【０００６】
本発明の課題は、当接歯と噛合部とが局部的に強く当るのを抑制することが課題である。
【課題を解決するための手段】
【０００７】
本発明の請求項１に係るスプロケットは、無端状の弾性クローラの内周側に配置され、駆動力が伝達されて回転軸を中心に回転する円状の本体部と、前記本体部に固定されて前記回転軸の回転軸方向に沿って延び、前記弾性クローラの無端帯状部分の内周面より突出して形成された突起状の噛合部、及び前記無端帯状部分の内周面より窪むように形成された凹部と当接して前記本体部の回転力を前記弾性クローラに伝達すると共に、前記回転軸方向に沿った方向から見て、前記本体部の周方向において最も厚くなる部分が前記本体部の径方向に沿った高さの中央と先端との間に設けられ、前記中央よりも基端側における前記本体部の周方向の厚さが、前記最も厚くなる部分の厚さより薄く、前記径方向において前記中央が前記本体部の外周縁に対して外側に位置し、前記最も厚くなる部分が前記凹部に挿入される当接歯と、を備えることを特徴とする。
【０００８】
上記構成によれば、当接歯は、本体部の径方向に沿った高さの中央よりも基端側の厚さが、先端側の最大厚さより薄い。このため、下り坂でクローラ車を制動させる制動時において、当接歯と噛合部との噛合い状態が通常駆動時とは異なる場合でも、回転する当接歯が噛合部の間から抜ける（離れる）抜け側では、先端側の最大厚さより薄い基端側が噛合部と当る。これにより、当接歯の基端側と噛合部とが局部的に強く当るのを抑制することができる。
【００１１】
本発明の請求項２に係るスプロケットは、請求項１又は２に記載において、前記当接歯には、前記回転軸方向から見て、前記当接歯の前記中央より基端側に向けて先細りとなるように一対の傾斜面が設けられることを特徴とする。
【００１２】
上記構成によれば、下り坂でクローラ車を制動させる制動時において、当接歯と噛合部との噛合い状態が通常駆動時とは異なる場合でも、回転する当接歯が噛合部の間から抜ける抜け側では、噛合部の側面と当接歯の傾斜面とが面当たりする。このため、噛合部と当接歯との間で生じる押圧力（応力）が大きくなるのを抑制することができる。
【００１３】
本発明の請求項３に係る弾性クローラ組込体は、請求項１または請求項２に記載のスプロケットと、前記スプロケットに備えられた当接歯と当たり、前記スプロケットから回転力が伝達される無端状の弾性クローラと、を備えることを特徴とする。
【００１４】
上記構成によれば、請求項１または請求項２に記載のスプロケットを備えているため、スプロケット及び弾性クローラの耐久性を向上させることができる。
【発明の効果】
【００１５】
本発明によれば、当接歯と噛合部とが局部的に強く当るのを抑制することができる。
【図面の簡単な説明】
【００１６】
【図１】本発明の第１実施形態に係るスプロケットとゴムクローラとの噛合い状態を示した側面図である（但し、凹部を除去して、当接歯及び突起部を実線で記載する。以下図７〜９については同じ）。
【図２】本発明の第１実施形態に係るスプロケットに採用された当接歯の形状を示した拡大側面図である。
【図３】本発明の第１実施形態に係るゴムクローラ組込体を示し、図６に示すＭ−Ｍ線断面図である。
【図４】本発明の第１実施形態に係るゴムクローラ組込体を示し、図６に示すＮ−Ｎ線断面図である。
【図５】本発明の第１実施形態に係るゴムクローラ組込体を示し、図６に示すＰ−Ｐ線断面図である。
【図６】本発明の第１実施形態に係るゴムクローラ組込体を示した平面図である。
【図７】本発明の第１実施形態に係るスプロケットとゴムクローラとの無負荷時の噛合い状態を示した側面図である。
【図８】本発明の第１実施形態に係るスプロケットとゴムクローラとの駆動時の噛合い状態を示した側面図である。
【図９】本発明の第１実施形態に係るスプロケットとゴムクローラとの制動時の噛合い状態を示した側面図である。
【図１０】本発明の第１実施形態に係るゴムクローラ組込体を示した斜視図である。
【図１１】本発明の第１実施形態に係るゴムクローラ組込体を示した側面図である。
【図１２】本発明の第２実施形態に係るスプロケットに採用された当接歯の形状を示した拡大側面図である。
【図１３】本発明の第３実施形態に係るスプロケットに採用された当接歯の形状を示した拡大側面図である。
【図１４】本発明の第４実施形態に係るスプロケットに採用された当接歯の形状を示した拡大側面図である。
【発明を実施するための形態】
【００１７】
本発明の第１実施形態に係るスプロケット１０及びこれを備えた弾性クローラ組込体の一例について図１〜図１１に従って説明する。
【００１８】
（全体構成）
図１１に示されるように、弾性クローラ組込体の一例としてのゴムクローラ組込体２２が、コンバイン、トラクター等のクローラ車（図示省略）に搭載されている。
【００１９】
このゴムクローラ組込体２２は、クローラ車の駆動輪の一例としてのスプロケット１０と、遊動輪の一例としての一対のアイドラー１０２と、スプロケット１０及び一対のアイドラー１０２に巻き掛けられる弾性クローラの一例としての無端状のゴムクローラ５０とを備えている。
【００２０】
具体的には、スプロケット１０は、図示せぬ駆動源から回転力が伝達されて回転軸１２回りに回転するようになっており、一対のアイドラー１０２は、回転可能にクローラ車に支持されている。
【００２１】
また、アイドラー１０２は、クローラ車の進行方向（図１１に示す矢印Ａ方向）に離れて２個設けられている。そして、スプロケット１０は、一対のアイドラー１０２とでスプロケット１０の回転軸１２方向から見て三角形状を成すようにこの三角形状の頂点に配置されている。
【００２２】
このスプロケット１０は、図１０にも示されるように、クローラ車の駆動軸に取り付けられる円状の本体部１６と、本体部１６に固定されて回転軸１２の回転軸方向（以下単に回転軸方向という）に沿って長手方向が配置される（回転軸方向に沿って延びる）棒状金属部材である複数個の当接歯１８とを含んで構成されている。さらに、図３にも示されるように、本体部１６は、外周側の両側面から突出する環状の規制突起２０を備えている。なお、スプロケット１０の当接歯１８等については詳細を後述する。
【００２３】
また、本実施形態では、無端状のゴムクローラ５０の周方向（図中矢印Ｓ）を「クローラ周方向」と称し、ゴムクローラ５０の幅方向（図中矢印Ｗ、図６、図１０参照）を「クローラ幅方向」と称して記載する。また、ゴムクローラ５０の板厚方向（図中矢印Ｔ）を「クローラ板厚方向」と称して記載する。さらに、クローラ板厚方向においてゴムクローラ５０の内周側（図中矢印ＩＮ）を「クローラ内周側」と称し、ゴムクローラ５０の外周側（図中矢印ＯＵＴ）を「クローラ外周側」と称して記載する。
【００２４】
図１０、図１１に示されるように、ゴムクローラ５０は、弾性材料（例えば、ＳＢＲ（スチレン・ブタジエンゴム））を無端帯状に形成した弾性体の一例としてのゴム体５２を備えている。このゴム体５２は、外周面からクローラ外周側に突出する複数個のラグ５６を備えており、これらのラグ５６はクローラ周方向に間隔をあけて配置されている。
【００２５】
さらに、図３、図６に示されるように、ゴム体５２の内部には、クローラ周方向に間隔（本実施形態では一定間隔）をあけて配置されるクローラ用芯金５８（以下、単に「芯金５８」と記載する）が複数個埋め込まれている。
【００２６】
芯金５８は、金属材料で成形され、クローラ幅方向に延びる板状の芯金基体６０と、この芯金基体６０からクローラ内周側に突出すると共にクローラ幅方向に間隔を空けて配置される一対の突出部６２とを含んで構成されている。
【００２７】
これらの一対の突出部６２の外周にゴム材が被覆されることで、ゴムクローラ５０の内周面から突出する一対の噛合部の一例としての突起部７０が形成されている。図３、図４に示されるように、一対の突起部７０の間は、前述したスプロケット１０及びアイドラー１０２（図１１参照）が通過する通過スペースとされている。図３に示されるように、一対の突起部７０と、スプロケット１０に設けられた環状の規制突起２０とが当ることで、スプロケット１０に対するゴムクローラ５０のクローラ幅方向の動きが規制されるようになっている。
【００２８】
図４、図５、図６に示されるように、クローラ周方向に配置された一の芯金５８と他の芯金５８との間には、スプロケット１０の当接歯１８が挿入されてスプロケット１０の駆動力をゴムクローラ５０に伝達する凹状の凹部６６が設けられている。
【００２９】
具体的には、図４に示されるように、凹部６６は、クローラ周方向から見て一対の突出部７０を跨いで形成され、幅方向において突出部７０と同じ幅（長さ）とされている。これにより、凹部６６に挿入された当接歯１８は、凹部６６の周壁を介して突起部７０を押圧してスプロケット１０の回転力又は制動力をゴムクローラ５０に伝達するようになっている。
【００３０】
さらに、芯金５８（図３参照）に対してクローラ外周側のゴム体５２の内部には、クローラ周方向に延びる複数本のスチールコード（図示省略）が設けられている。そして、このスチールコードにより、ゴムクローラ５０のクローラ周方向における引張強度が向上されるようになっている。つまり、スチールコードは、ゴムクローラ５０に埋設される抗張部材で、ゴムクローラ５０のクローラ周方向への伸びを規制しつつ、スプロケット１０から受ける回転力に基づいてゴムクローラ５０がスムーズに回転するように補助する部材となっている。
【００３１】
（要部構成）
次に、スプロケット１０の当接歯１８等について説明する。
図７、図１０に示されるように、スプロケット１０には、スプロケット１０の本体部１６を構成する規制突起２０に溶接等で固定されて規制突起２０の両側面から回転軸方向に沿って延出される当接歯１８が設けられている。さらに、回転軸方向から見て、当接歯１８の一部は、本体部１６から本体部１６の径方向（以下単に径方向という）の外側に突出して設けられ、この突出した部分が、ゴムクローラ５０に形成された凹部６６（図４参照）に挿入されるようになっている。
【００３２】
なお、図７及び、後述する図１、図８、図９については、当接歯１８とゴムクローラ５０の内周面に形成された突起部７０との関係を分かり易くするために、当接歯１８及び突起部７０を実線で記載する。
【００３３】
図２に示されるように、当接歯１８は、回転軸方向に沿った方向から見て、本体部１６の径方向に沿った高さ（図中に示すＨ）の中央（図中Ｊ）よりも基端側（本体部１６側）における本体部１６の周方向の厚さが、先端側（本体部１６とは反対側）の最大厚さより薄くされている。具体的には、基端側の厚さ（図中に示す寸法Ｋ）は、先端側の最大厚さ（図中に示す寸法Ｌ）より薄くされている。つまり、当接歯１８において最も厚くなる部分は、中央（図中Ｊ）より先端側に設けられている。
【００３４】
ここで、当接歯１８の高さとは、当接歯１８において最も本体部１６の中心に近い部分（図中Ｒ）から最も本体部１６の中心に遠い部分（図中Ｕ）までの距離である。
さらに、当接歯１８には、回転軸方向に沿った方向から見て、当接歯１８の中央（図中Ｊ）より基端側に向けて先細りとなるように一対の傾斜面１８Ｂが設けられている。
【００３５】
（作用・効果）
次に、スプロケット１０、及びこのスプロケット１０とゴムクローラ５０とを備えたゴムクローラ組込体２２の作用及び効果について説明する。
【００３６】
図７に示されるように、中立噛み合い時（無負荷時）には、隣り合う突起部７０の間に配置される当接歯１８は、隣り合う突起部７０に接していない。この状態では、スプロケット１０の回転力又は制動力は、当接歯１８を介してゴムクローラ５０に伝達されない。
【００３７】
一方、図８に示されるように、クローラ車を矢印Ａ方向に進行させる駆動時には、スプロケット１０は、図示せぬ駆動源から回転力が伝達されて回転軸１２回りに矢印Ｇ方向に回転する。これにより、隣り合う突起部７０の間に配置される当接歯１８は、スプロケット１０の回転方向の下流側（矢印Ｇ方向側）に配置された突起部７０に当って突起部７０を押圧する。スプロケット１０の回転力は、当接歯１８及び突起部７０を介してゴムクローラ５０に伝達させ、クローラ車が矢印Ａ方向に進行する。
【００３８】
詳細には、当接歯１８が隣り合う突起部７０の間に入り込む入り側（図中回転軸１２に対して右側）から、当接歯１８は、当接歯１８の先端側で突起部７０を押圧しながら隣り合う突起部７０の間に入り込む。一方、当接歯１８が隣り合う突起部７０の間から抜ける抜け側（図中回転軸１２に対して左側）では、突起部７０との噛合いを終えた当接歯１８は、突起部７０と離れた状態で突起部７０の間から抜けていく（離れていく）。
【００３９】
これに対して、図９に示されるように、矢印Ａ方向に進行するクローラ車を制動させる制動時には、スプロケット１０は、図示せぬ制動源から制動力が伝達されて制動する。一方、クローラ車は慣性力により矢印Ａ方向に進む。このため、隣り合う突起部７０の間に配置される当接歯１８は、スプロケット１０の回転方向の上流側に配置された突起部７０に当って突起部７０を押圧する。これにより、スプロケット１０の制動力は、当接歯１８及び突起部７０を介してゴムクローラ５０に伝達させ、矢印Ａ方向に進行するクローラ車が制動する。
【００４０】
詳細には、入り側から、当接歯１８は隣り合う突起部７０の間に入り込む。当接歯１８は、スプロケット１０の回転方向の上流側に配置された突起部７０に当接歯１８の先端側で当って突起部７０を押圧する。一方、抜け側では、当接歯１８は、当接歯１８の先端側で突起部７０を押圧しながら突起部７０の間から抜けていく（離れていく）。
【００４１】
また、図１に示されるように、矢印Ａ方向に進行するクローラ車を下り坂で制動させる制動時には、通常の制動時の制動力に比して、大きい制動力がゴムクローラ５０に作用する。このため、当接歯１８が突起部７０を押す押力が、通常の制動時の押力に比して大きくなる。これにより、抜け側では、突起部７０を構成するゴムが変形して当接歯１８の傾斜面１８Ｂと突起部７０の側面７０Ａとが面当たりする。
【００４２】
詳細には、抜け側では、当接歯１８が凹部６６と離れるため、当接歯１８と凹部６６とが接触している通常噛合い状態（図中回転軸１２の上側）と比して、当接歯１８と突起部７０の噛合い状態が変化する。さらに、前述したように、当接歯１８が突起部７０を押す押力が、通常の制動時の押力に比して大きくなる。これらの要因により、抜け側では、突起部７０を構成するゴムが変形して当接歯１８の傾斜面１８Ｂと突起部７０の側面７０Ａとが面当たりする。このため、当接歯１８が突起部７０を押す押力は、通常の制動時の押力に比して大きく、突起部７０の側面７０Ａと当接歯１８の傾斜面１８Ｂとが面当たりするため、押圧力（単位面積当たり押力）の上昇は抑制される。
【００４３】
このように、抜け側では、当接歯１８の傾斜面１８Ｂと突起部７０の側面７０Ａとが面当たりしながら、当接歯１８が突起部７０の間から抜けていく（離れていく）。
【００４４】
なお、上記に記載したゴムクローラ５０の挙動については、クローラ車に外部からクローラ車を進行させるような力が作用している状態で、このクローラ車を制動させた場合にも同様に生じる。例えば、クローラ車によって牽引される車両が、クローラ車を後方から進行方向に向って押している状態で、このクローラ車を制動させる場合が考えられる。  
【００４５】
ここで、径方向外側が先細りとなる三角形状とされた比較形態（従来）の当接歯を備えたスプロケットを用いて、クローラ車を下り坂で制動させる制動時について記載する。
【００４６】
抜け側では、当接歯が凹部と離れるため、当接歯と凹部とが接触している通常噛合い状態と比して、当接歯と突起部の噛合い状態が変化する。さらに、当接歯が突起部を押す押力が、通常の制動時の押力に比して大きくなる。これらの要因により、抜け側では、突起部を構成するゴムが変形して当接歯の基端側の角部と突起部とが局部的に強く当たり押圧力が上昇する。
【００４７】
以上説明したように、クローラ車を下り坂で制動させる制動時には、従来の当接歯を用いると、突起部と当接歯の基端側の角部とが局部的に当る。これに対して、本実施形態の当接歯１８を用いると、突起部７０の側面７０Ａと当接歯１８の傾斜面１８Ｂとが面当たりするため、突起部７０と当接歯１８の基端側が局部的に強く当るのを抑制することができる。
【００４８】
また、突起部７０の側面７０Ａと当接歯１８の傾斜面１８Ｂとが面当たりするため、当接歯１８と噛合部との間で生じる押圧力（応力）の上昇を抑制することができる。
また、押圧力の上昇を抑制することができるため、高い応力に対応する材料を選択する必要がなくなり、設計自由度を向上させることができる。
【００４９】
また、押圧力の上昇が抑制されるため、当接歯１８と突起部７０との噛合い不良の発生を抑制することができる。
また、押圧力の上昇が抑制されるため、抜け側で、突起部７０の間から当接歯１８をスムーズに抜くことができる（スムーズに離間する）。
【００５０】
また、押圧力の上昇が抑制されるため、芯金５８の突出部６２に変形等の損傷が生じるのを抑制することができる（耐久性を向上させることができる）。
【００５１】
次に、本発明の第２実施形態に係るスプロケット１５０及びこれを備えた弾性クローラ組込体の一例について図１２に従って説明する。なお、第１実施形態と同一部材については、同一符号を付してその説明を省略する。
【００５２】
図１２に示されるように、回転軸方向から見て、第２実施形態に係るスプロケット１５０の当接歯１５２に備えられた一対の傾斜面１５２Ａで挟まれる径方向の内側の曲面１５２Ｂは、一定の曲率で形成されている。
【００５３】
このように、一対の傾斜面１５２Ａで挟まれる部位が一定の曲率で形成されているため、この部位を成形する金型の形状を単純化することができる。
【００５４】
次に、本発明の第３実施形態に係るスプロケット１６０及びこれを備えた弾性クローラ組込体の一例について図１３に従って説明する。なお、第１実施形態と同一部材については、同一符号を付してその説明を省略する。
【００５５】
図１３に示されるように、第３実施形態に係るスプロケット１６０の当接歯１６２は、板材を折り曲げて成形されており、回転軸方向から見て、内部に空洞部１６２Ａが設けられている。このように、空洞部１６２Ａを設けることで、当接歯１６２を軽量化することができる。
【００５６】
次に、本発明の第４実施形態に係るスプロケット１７０及びこれを備えた弾性クローラ組込体の一例について図１４に従って説明する。なお、第１実施形態と同一部材については、同一符号を付してその説明を省略する。
【００５７】
図１４に示されるように、回転軸方向から見て、第４実施形態に係るスプロケット１７０の当接歯１７２は、中央から基端側に向けて先細りとなる一対の湾曲面１７２Ｂが設けられている。具体的には、この湾曲面１７２Ｂは、外側に凸となるように湾曲している。
【００５８】
なお、本発明を特定の実施形態について詳細に説明したが、本発明はかかる実施形態に限定されるものではなく、本発明の範囲内にて他の種々の実施形態が可能であることは当業者にとって明らかである。例えば、スプロケット１０の回転軸１２方向から見て三角形状を成すように一対のアイドラー１０２とスプロケット１０とを配置したが、三角形状に限定されず、台形形状や楕円形状等を成すようにスプロケット及びアイドラーを配置してもよい。
【００５９】
また、上記実施形態では、当接歯１８をスプロケット１０の回転軸１２方向に沿って直線上に一体的に設けたが、当接歯を長手方向で分割（例えば、二股形状に分割）してもよい。
【００６０】
また、上記実施形態では、特に言及しなかったが、突起部７０のピッチと同一ピッチのピンやギア等の当接歯（スプロケット歯）を備えるスプロケットを用いてもよい。
【００６１】
また、上記実施形態では、当接歯１８の高さの中央（図中Ｊ）よりも基端側における本体部１６の周方向の厚さが、先端側の最大厚さより薄くされたが、本体部の径方向に沿った噛合い高さの中央よりも基端側における本体部の周方向の厚さが、先端側の最大厚さより薄くされてもよい。ここで、噛合い高さとは、当接歯において、駆動時又は制動時に突起部と噛み合っている範囲での高さである。つまり、突起部と噛み合っていない部位を除外した状態の高さである。
【００６２】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、特に言及しなかったが、スプロケットとアイドラー１０２との間に、ゴムクローラをガイドする転輪を設けてもよい。
【００６３】
また、上記実施形態では、クローラ幅方向に一対の突起部７０が設けられる構成を例にとって説明したが、突起部は１個でもよく、３個以上であってもよい。
【００６４】
また、上記実施形態では、回転軸方向から見て、当接歯１８は、本体部１６に対して径方向の外側に突出して配置されたが、特に当接歯は、突出していなくてもよい。
【００６５】
また、上記実施形態では、当接歯１８を本体部１６の規制突起２０に溶接等で固定したが、当接歯を本体部と一体的に形成してもよい。
【００６６】
また、上記第４実施形態では、外側に凸となるように湾曲面１７２Ｂを設けたが、内側に凸となるように（外側に凹となるように）湾曲面を設けてもよい。
【符号の説明】
【００６７】
１０            スプロケット
１２            回転軸
１６            本体部
１８            当接歯
１８Ｂ          傾斜面
２２            ゴムクローラ組込体（弾性クローラ組込体の一例）
５０            ゴムクローラ（弾性クローラの一例）
７０            突起部（噛合部の一例）
１５０          スプロケット
１５０Ｂ        傾斜面
１５２          当接歯
１６０          スプロケット
１６２          当接歯
１７０          スプロケット
１７２          当接歯
【図１】
0005878314.tif 000002
【図２】
0005878314.tif 000003
【図３】
0005878314.tif 000004
【図４】
0005878314.tif 000005
【図５】
0005878314.tif 000006
【図６】
0005878314.tif 000007
【図７】
0005878314.tif 000008
【図８】
0005878314.tif 000009
【図９】
0005878314.tif 000010
【図１０】
0005878314.tif 000011
【図１１】
0005878314.tif 000012
【図１２】
0005878314.tif 000013
【図１３】
0005878314.tif 000014
【図１４】
0005878314.tif 000015